(57)【要約】【課題】受信したいMMSメール受信を確実に行い迷惑MMSメール受信を確実に拒否する。【解決手段】MMSメールを送受信する携帯端末装置101に、個人を特定する送信元ユーザのキーワードを保存する送信元ユーザキーワード保存部101Aと、送信すべきMMSメールの本文に個人を特定する送信元ユーザのキーワードを設定し、ネットワーク上のサーバにMMSメールを一時保存させるための送信元ユーザキーワード設定部101Bと、ネットワーク102上のサーバ103から一時保存されたMMSメールの本文の一部で個人を特定する送信元ユーザのキーワードを含む部分を先行して受信し受信した先行部分から抽出した送信元ユーザのキーワードと保存されている送信元ユーザのキーワードとを比較し、一致する場合ネットワーク上のサーバからMMSメールの残りの本体部分を受信し、不一致の場合MMSメールの残りの本体部分の受信を拒否する送信元ユーザキーワード識別部101Cとを備える。【選択図】図１
2008129658.tif 000002
【特許請求の範囲】
【請求項１】
ＭＭＳメールを送受信する携帯端末装置において、
個人を特定する送信元ユーザのキーワードを保存する送信元ユーザキーワード保存部と、
送信すべきＭＭＳメールの本文に個人を特定する送信元ユーザのキーワードを設定し、携帯端末装置ネットワーク上のサーバに前記ＭＭＳメールを一時保存させるための送信元ユーザキーワード設定部と、
前記携帯端末装置ネットワーク上のサーバから一時保存された前記ＭＭＳメールの本文の一部で個人を特定する送信元ユーザのキーワードを含む部分を先行して先行部分として受信し受信した前記先行部分から送信元ユーザのキーワードを抽出し、抽出した送信元ユーザのキーワードと前記送信元ユーザキーワード保存部に保存されている送信元ユーザのキーワードとを比較し、一致又は不一致の判断を行い、一致する場合には前記携帯端末装置ネットワーク上のサーバから前記ＭＭＳメールの残りの本体部分を受信し、不一致の場合には携帯端末装置ネットワーク上のサーバから前記ＭＭＳメールの残りの本体部分の受信を拒否する送信元ユーザキーワード識別部とを備えることを特徴とする、ＭＭＳメールを送受信する携帯端末装置。
【請求項２】
前記送信元ユーザのキーワードは送信元のユーザの名前、ニックネーム、あだ名、暗証番号、これらの組み合わせを含むことを特徴とする、請求項１に記載のＭＭＳメールを送受信する携帯端末装置。
【請求項３】
前記携帯端末装置上のサーバは、送信先の前記携帯端末装置から前記ＭＭＳメールの残りの本体部分を送信し、さらに、前記ＭＭＳメールの残りの本体部分の受信が拒否された場合には、一時保存しているＭＭＳメールを削除することを特徴とする、請求項１に記載のＭＭＳメールを送受信する携帯端末装置。
【請求項４】
携帯端末装置でＭＭＳメールを送受信する携帯端末装置のＭＭＳメール送受信方法において、
個人を特定する送信元ユーザのキーワードを送信先の前記携帯端末装置に保存する工程と、
送信すべきＭＭＳメールの本文に個人を特定する送信元ユーザのキーワードを設定する工程と、
携帯端末装置ネットワーク上のサーバに送信された前記ＭＭＳメールを一時保存する工程と、
前記携帯端末装置ネットワーク上のサーバから一時保存された前記ＭＭＳメールの本文の一部で個人を特定する送信元ユーザのキーワードを含む部分を先行して先行部分として受信し受信した前記先行部分から送信元ユーザのキーワードを抽出し、抽出した送信元ユーザのキーワードと前記送信元ユーザキーワード保存部に保存されている送信元ユーザのキーワードとを比較し、一致又は不一致の判断を行う工程と、
前記一致又は不一致の判断を行い、一致する場合には前記携帯端末装置ネットワーク上のサーバから前記ＭＭＳメールの残りの本体部分を受信し、不一致の場合には携帯端末装置ネットワーク上のサーバから前記ＭＭＳメールの残りの本体部分の受信を拒否する工程とを備えることを特徴とする、携帯端末装置のＭＭＳメール送受信方法。
【請求項５】
携帯端末装置でＭＭＳメールを送受信する携帯端末装置のＭＭＳメール送受信プログラムにおいて、
個人を特定する送信元ユーザのキーワードを送信先の前記携帯端末装置に保存する手順と、
送信すべきＭＭＳメールの本文に個人を特定する送信元ユーザのキーワードを設定する手順と、
携帯端末装置ネットワーク上のサーバに送信された前記ＭＭＳメールを一時保存する手順と、
前記携帯端末装置ネットワーク上のサーバから一時保存された前記ＭＭＳメールの本文の一部で個人を特定する送信元ユーザのキーワードを含む部分を先行して先行部分として受信し受信した前記先行部分から送信元ユーザのキーワードを抽出し、抽出した送信元ユーザのキーワードと前記送信元ユーザキーワード保存部に保存されている送信元ユーザのキーワードとを比較し、一致又は不一致の判断を行う手順と、
前記一致又は不一致の判断を行い、一致する場合には前記携帯端末装置ネットワーク上のサーバから前記ＭＭＳメールの残りの本体部分を受信し、不一致の場合には携帯端末装置ネットワーク上のサーバから前記ＭＭＳメールの残りの本体部分の受信を拒否する手順とを備えることを特徴とする、携帯端末装置のＭＭＳメール送受信プログラム。
【発明の詳細な説明】
【技術分野】
【０００１】
本発明はＭＭＳ（Ｍｕｌｔｉｍｅｄｉａ  Ｍｅｓｓａｇｉｎｇ  Ｓｅｒｖｉｃｅ）メールを送受信する携帯端末装置に関する。特に、本発明は、不要で迷惑なＭＭＳメールの受信を回避可能にしＭＭＳメールを送受信する携帯端末装置、そのＭＭＳメール送受信方法及びＭＭＳメール送受信プログラムに関する。
【背景技術】
【０００２】
近年、携帯端末装置ではＳＭＳ（Ｓｈｏｒｔ  Ｍｅｓｓａｇｉｎｇ  Ｓｅｒｖｉｃｅ）メール、ＭＭＳ（Ｍｕｌｔｉｍｅｄｉａ  Ｍｅｓｓａｇｉｎｇ  Ｓｅｒｖｉｃｅ）メールの送受信が可能であることは周知である。本発明に係るＭＭＳメールの受信について以下に説明を行う。
ＭＭＳメールをサーバから受信する時にはＭＭＳメールの本文の全てを自動的に受信することも可能であり、他方、ＭＭＳメールの本文の一部をメール本体に先行して受信し、ユーザによる着信可否の判断後、続けて残りの本体部分を受信することも可能である。
【０００３】
ＭＭＳメールについて、前者のＭＭＳメールの本文の全てを自動的に受信する場合には、勧誘などの不要で迷惑なＭＭＳメールも受信することになり、トラフィックの負荷が増大するだけでなく、ユーザ側に課金が発生するという問題がある。
他方、ＭＭＳメールについて、後者の本文の一部をメール本体に先行して受信し、続けて残りの本体部分を受信する場合には、先行して受信したＭＭＳメールの本文の一部から不要で迷惑なＭＭＳメールをユーザが識別してその受信を回避し、受信したいＭＭＳメールの本体部分だけを選択して受信することが可能であるが、受信したいＭＭＳメールの本体部分を受信する際に不要で迷惑なＭＭＳメールの本体部分を誤って受信する可能性があり、さらに、不要で迷惑なＭＭＳメールの受信が多量の場合には不要なＭＭＳメールを識別して受信を回避するには大きな労力を必要とするという問題がある。
【０００４】
携帯端末装置でＭＭＳメール着信の自動的な拒否・許可を行う際に、発信者側のメールアドレスを基に判断し、ＭＭＳメールの受信において、着信拒否又は着信許可を設定する場合は、予めサーバに対し、着信拒否アドレス、着信許可アドレスを設定しておく必要があった。しかしながら、上記の従来技術では、以下に挙げる課題を含んでいる。
第１の課題は、特定のＭＭＳメール着信を拒否しようとした場合、拒否したい相手のメールアドレスを登録する手段を用いると、頻繁にメールアドレスを変えてくる不要で迷惑なＭＭＳメール、送信元が携帯端末装置になりすまして送信してくる不要で迷惑なＭＭＳメールを確実に拒否することは困難であった。
【０００５】
第２の課題は、特定のＭＭＳメール着信のみを許可しようとした場合、受信したい相手のメールアドレスを登録する手段を用いると、相手のメールアドレスが変更された場合、又は、相手のメールアドレスを確実に登録できなかった場合、受信できないという問題があった。
不要で迷惑なメールの受信を回避する従来技術として以下にあげるものがある。
【０００６】
従来、電子メール通信における必要なメッセージが適切に伝達されないといったリスク、また不要なメッセージの受信も強制されるといった不都合を、最小限にすることを主たる課題とし、電子メール送信元甲において電子メール送信に先立ち前記電子メールに関する情報を生成しこれを送信し、送信先乙においてはこれを受信し確認することにより電子メール本体の受信の要否を決定し受信を希望するときには要求を返信し、送信元甲においてはこれを受信し送信先乙サイドで受信に際して推奨される電子メール態様を調べ電子メールの態様を推奨態様に沿うように変更したのち発信すると共に前記発信を知らせるインフォメーションを送信し、送信先乙においてはインフォメーションと電子メールとを受信し両者の適合を確認するものがある（例えば、特許文献１参照）。
【０００７】
しかしながら、上記特許文献１では、電子メール送信元甲から送信先乙にＭＭＳメールのような電子メールが送信された場合には、電子メール送信に先立ち電子メールに関する情報を生成しこれを送信することはないので、送信先乙で電子メール本体の受信の要否を決定することができない。
また、従来、不要な電子メールを配信しない電子メール配信方法、電子メール配信システム、メールサーバおよびメールサーバプログラムならびに利用者端末および事前照会プログラムを提供するため、メールサーバで受信した電子メールを利用者端末に配信する電子メール配信方法において、電子メールがあらかじめ設定された受信条件に合致するか否かを判断する第１ステップと、第１ステップで、受信条件に合致しないと判断された電子メールについて、利用者端末に受信するか否かを問い合わせる第２ステップと、第２ステップの問い合わせの回答にしたがって、受信する場合にのみ利用者端末に電子メールを送信する第３ステップとを有することを特徴とするものがある（例えば、特許文献２参照）。
【０００８】
しかしながら、上記特許文献２では、メールサーバで受信条件の判断、利用者端末への受信の問い合わせを行うので、メールサーバに処理負担が大きくなるという問題がある。
また、従来、電子メールサーバに課せられる容量負荷が大幅に軽減されると共に、受信時間を短縮できる電子メールのフィルタリング方法を提供するため、電子メールのフィルタリング方法はＬＡＮと公衆ＩＰ網の一方又は両方を介して複数の電子メール送受信端末と電子メールサーバとが相互接続され、送られてきた電子メールが電子メールサーバを介して対応するアドレスの電子メール送受信端末に転送される情報通信システムにおける電子メールのフィルタリング方法であって、電子メールサーバは、転送すべき電子メールを受信した際、宛先アドレスの電子メール送受信端末についてフィルタリングの要否を確認し、フィルタリングが必要な場合、当該宛先の電子メール送受信端末からフィルタリング条件を規定したフィルタリング情報を入手し、指定されたフィルタリング条件に基づいてフィルタリング処理を実行することを特徴とするものがある（例えば、特許文献３参照）。
【０００９】
しかしながら、上記特許文献３では、電子メールサーバではフィルタリング処理を行うので、処理負担が大きくなり、さらに、送受信端末のアドレスに対してフィルタリング条件を規定するので、送受信端末のアドレスの変更に対して、送受信端末のアドレスを確実に設定できなかった場合には受信できないという問題がある。
また、従来、携帯電話において迷惑メールが多発し、それが収まる気配はなく、迷惑メールを受信することによる余分なパケット（料金）が発生しないこと、携帯電話へのリアルタイムなメール配信を損なわないこと、現行のサービスに大きな影響を与えないことの全てを満たし、迷惑メールを排除することを課題とし、加えて、将来的に迷惑メールの形態が多様化した場合の対応についても考慮し、その全ての迷惑メールを排除することを課題とし、ユーザが許可していないアドレスが送信元で、かつメール本文にＵＲＬ、もしくは電話番号、メールアドレスの文字列が含まれていた場合に、そのメールをフィルタリング（削除）することで、ユーザの携帯電話に迷惑メールが配信されることを防止し、また将来的には、メール配信前にメールシステムと携帯電話が相互に通信することで、送信元アドレスが携帯電話のアドレス帳に含まれる場合、もしくは件名がユーザの設定した受信許可キーワードと一致する場合のみメールを配信することで、迷惑メールを防止するものがある（例えば、特許文献４参照）。
【００１０】
しかしながら、上記特許文献４では、メール配信前にメールシステム（サーバ）では、送信元アドレス、受信許可キーワードの一致判断を行うので、処理負担が大きくなり、さらに、送信元アドレスの変更に対して、さらに、送信元アドレスを確実に設定できなかった場合には受信できないという問題がある。
【００１１】
【特許文献１】特開２００３−０３６２３０号公報
【特許文献２】特開２００３−１５０５１２号公報
【特許文献３】特開２００４−０４８４９２号公報
【特許文献４】特開２００５−０４４３２３号公報
【発明の開示】
【発明が解決しようとする課題】
【００１２】
したがって、本発明は上記問題点に鑑みて、受信したいＭＭＳメールを確実に受信でき、不要で迷惑なＭＭＳメールの受信を確実に拒否して不要で迷惑なＭＭＳメールの受信に対するトラフィックの負荷の増大、ユーザ側の課金発生を防止し、さらに、不要で迷惑なＭＭＳメールの受信が多量の場合には受信したいＭＭＳメールと不要なＭＭＳメールを識別して受信したいＭＭＳメールを受信する労力を抑制し、さらにサーバへの処理負担の増大を抑制する携帯端末装置、ＭＭＳメール受信方法及びＭＭＳメール受信プログラムを提供することを目的とする。
【課題を解決するための手段】
【００１３】
本発明は前記問題点を解決するために、ＭＭＳメールを送受信する携帯端末装置において、個人を特定する送信元ユーザのキーワードを保存する送信元ユーザキーワード保存部と、送信すべきＭＭＳメールの本文に個人を特定する送信元ユーザのキーワードを設定し、携帯端末装置ネットワーク上のサーバに前記ＭＭＳメールを一時保存させるための送信元ユーザキーワード設定部と、前記携帯端末装置ネットワーク上のサーバから一時保存された前記ＭＭＳメールの本文の一部で個人を特定する送信元ユーザのキーワードを含む部分を先行して先行部分として受信し受信した前記先行部分から送信元ユーザのキーワードを抽出し、抽出した送信元ユーザのキーワードと前記送信元ユーザキーワード保存部に保存されている送信元ユーザのキーワードとを比較し、一致又は不一致の判断を行い、一致する場合には前記携帯端末装置ネットワーク上のサーバから前記ＭＭＳメールの残りの本体部分を受信し、不一致の場合には携帯端末装置ネットワーク上のサーバから前記ＭＭＳメールの残りの本体部分の受信を拒否する送信元ユーザキーワード識別部とを備えることを特徴とする、ＭＭＳメールを送受信する携帯端末装置を提供する。
【００１４】
さらに、前記送信元ユーザのキーワードは送信元のユーザの名前、ニックネーム、あだ名、暗証番号、これらの組み合わせを含む。
さらに、前記携帯端末装置上のサーバは、送信先の前記携帯端末装置から前記ＭＭＳメールの残りの本体部分を送信し、さらに、前記ＭＭＳメールの残りの本体部分の受信が拒否された場合には、一時保存しているＭＭＳメールを削除する。
【００１５】
さらに、本発明は、携帯端末装置でＭＭＳメールを送受信する携帯端末装置のＭＭＳメール送受信方法において、個人を特定する送信元ユーザのキーワードを送信先の前記携帯端末装置に保存する工程と、送信すべきＭＭＳメールの本文に個人を特定する送信元ユーザのキーワードを設定する工程と、携帯端末装置ネットワーク上のサーバに送信された前記ＭＭＳメールを一時保存する工程と、前記携帯端末装置ネットワーク上のサーバから一時保存された前記ＭＭＳメールの本文の一部で個人を特定する送信元ユーザのキーワードを含む部分を先行して先行部分として受信し受信した前記先行部分から送信元ユーザのキーワードを抽出し、抽出した送信元ユーザのキーワードと前記送信元ユーザキーワード保存部に保存されている送信元ユーザのキーワードとを比較し、一致又は不一致の判断を行う工程と、前記一致又は不一致の判断を行い、一致する場合には前記携帯端末装置ネットワーク上のサーバから前記ＭＭＳメールの残りの本体部分を受信し、不一致の場合には携帯端末装置ネットワーク上のサーバから前記ＭＭＳメールの残りの本体部分の受信を拒否する工程とを備えることを特徴とする、携帯端末装置のＭＭＳメール送受信方法を提供する。
【００１６】
さらに、本発明は、携帯端末装置でＭＭＳメールを送受信する携帯端末装置のＭＭＳメール送受信プログラムにおいて、個人を特定する送信元ユーザのキーワードを送信先の前記携帯端末装置に保存する手順と、送信すべきＭＭＳメールの本文に個人を特定する送信元ユーザのキーワードを設定する手順と、携帯端末装置ネットワーク上のサーバに送信された前記ＭＭＳメールを一時保存する手順と、前記携帯端末装置ネットワーク上のサーバから一時保存された前記ＭＭＳメールの本文の一部で個人を特定する送信元ユーザのキーワードを含む部分を先行して先行部分として受信し受信した前記先行部分から送信元ユーザのキーワードを抽出し、抽出した送信元ユーザのキーワードと前記送信元ユーザキーワード保存部に保存されている送信元ユーザのキーワードとを比較し、一致又は不一致の判断を行う手順と、前記一致又は不一致の判断を行い、一致する場合には前記携帯端末装置ネットワーク上のサーバから前記ＭＭＳメールの残りの本体部分を受信し、不一致の場合には携帯端末装置ネットワーク上のサーバから前記ＭＭＳメールの残りの本体部分の受信を拒否する手順とを備えることを特徴とする、携帯端末装置のＭＭＳメール送受信プログラムを提供する。
【発明の効果】
【００１７】
以上説明したように、本発明によれば、個人を特定する送信元ユーザのキーワードを送信先の携帯端末装置に保存し、送信すべきＭＭＳメールの本文に個人を特定する送信元ユーザのキーワードを設定し、携帯端末装置ネットワーク上のサーバに送信されたＭＭＳメールを一時保存し、携帯端末装置ネットワーク上のサーバから一時保存されたＭＭＳメールの本文の一部で個人を特定する送信元ユーザのキーワードを含む部分を先行して先行部分として受信し受信した先行部分から送信元ユーザのキーワードを抽出し、抽出した送信元ユーザのキーワードと送信元ユーザキーワード保存部に保存されている送信元ユーザのキーワードとを比較し、一致又は不一致の判断を行い、一致又は不一致の判断を行い、一致する場合には携帯端末装置ネットワーク上のサーバからＭＭＳメールの残りの本体部分を受信し、不一致の場合には携帯端末装置ネットワーク上のサーバからＭＭＳメールの残りの本体部分の受信を拒否するようにしたので、メール着信通知の本文に含まれるキーワードを基にメール着信可否を判断するため、ＭＭＳメール全文を受信しなくても、着信通知のみで、メール着信可否を設定することができ、不要で迷惑なＭＭＳメールの受信が多量の場合には受信したいＭＭＳメールと不要なＭＭＳメールを識別して受信したいＭＭＳメールを受信する労力を抑制することができる。
【００１８】
さらに、メールアドレスではなく、メール着信通知の本文に含まれるキーワードを基に着信許可を判断するため、着信したい相手のメールアドレスを正確に把握していない、又は、着信を許可した相手がメールアドレスを変えた場合においても、キーワードに、例えば、個人を特定する名前、ニックネーム等を登録しておくことにより、確実に受信したいメールを受信できる。
【００１９】
さらに、メール着信通知の本文に含まれるキーワードを基に着信拒否を判断するため、頻繁にメールアドレスを変えてくる不要で迷惑なＭＭＳメール、送信元が携帯端末装置に成りすまして送信してくる不要で迷惑なＭＭＳメールを確実に拒否することができる。これにより、トラフィックの負荷の増大を抑制でき、ユーザの不要な課金を抑制できる。さらにサーバへの処理負担の増大を抑制する
【発明を実施するための最良の形態】
【００２０】
以下、本発明の実施の形態について図面を参照して説明する。
図１は本発明に係る携帯端末装置のＭＭＳメール受信を説明する概略ブロック図である。本図に示すように、携帯端末装置ネットワーク１０３には携帯端末装置１０１が複数接続され、携帯端末装置１０１の各々は、コンピュータで実行するプログラムを備え、さらに、サーバ１０２が接続され、携帯端末装置１０１間で携帯端末装置ネットワーク１０３、サーバ１０２を介してＭＭＳメールが送受信される。
【００２１】
携帯端末装置１０１には送信元ユーザキーワード保存部１０１Ａが設けられ、送信元ユーザキーワード保存部１０１Ａは個人を特定する送信元ユーザのキーワードを保存し、送信元ユーザのキーワードは送信元ユーザの姓名、ニックネーム、あだ名、暗証記号、これらの組み合わせを含む。
さらに、携帯端末装置１０１には送信元ユーザキーワード設定部１０１Ｂが設けられ、送信元ユーザキーワード設定部１０１Ｂは作成されるＭＭＳメールの本文の一部で先行して送信される先行部分に送信元ユーザのキーワードを設定する。ここに、送信元ユーザのキーワードは、前述のように、送信元ユーザの姓名、ニックネーム、あだ名、暗証記号、これらの組み合わせである。
【００２２】
さらに、携帯端末装置１０１には送信元ユーザキーワード識別部１０１Ｃが設けられ、送信元ユーザキーワード識別部１０１Ｃは、サーバ１０２からＭＭＳメールの先行部分を受信した場合には受信した先行部分から送信元ユーザのキーワードを抽出し、抽出した送信元ユーザのキーワードと、送信元ユーザキーワード保存部１０１Ａに保存されている送信元ユーザのキーワードとを順次比較して一致する送信元ユーザのキーワードが保存されている場合にはサーバ１０２に対して、続けてＭＭＳメールの残りの本体部分を送信させる。
【００２３】
サーバ１０２にはＭＭＳメール保存部１０２Ａが設けられ、ＭＭＳメール保存部１０２Ａは送信元の携帯端末装置１０１から送信されたＭＭＳメールを一時保存し、ＭＭＳメールには画像、サウンドのファイルが添付され、送信先の携帯端末装置１０１にＭＭＳメールの本文の一部を先行してＳＭＳ（Ｓｈｏｒｔ  Ｍｅｓｓａｇｉｎｇ  Ｓｅｒｖｉｃｅ）メールとして送信し、送信したＳＭＳメールに対して続いて残りの本体部分を送信すべきとの着信可の応答がある場合には残りの本体部分を送信し、保存してあるＭＭＳメールを削除し、残りの本体部分を送信すべきでないとの着信不可の応答がある場合には、同様に、保存してあるＭＭＳメールを削除する。このように、ＭＭＳメール保存部１０２Ａでは保存したＭＭＳメールの削除が迅速に行われるので、ＭＭＳメール保存部１０２Ａの使用効率が向上し、サーバへの処理負担の増大を抑制する。
【００２４】
図２は図１における携帯端末装置１０１の送信元ユーザキーワード保存部１０１Ａに保存されるキーワード例を説明する図である。本図に示すように、一例として、送信元ユーザキーワード保存部１０１Ａには、ＭＭＳメールを受信したい送信元のユーザ名に対して、送信元ユーザ名「特許一郎」がそのままキーワードとして保存され、さらに、送信ユーザ名「特許花子」のニックネーム又はあだ名「にんじん」がキーワードとして保存され、さらに、送信ユーザ名「実用太郎」に対して暗証番号「１２３４５」が保存され、さらに、送信ユーザ名「実用桃子」に対して数字と名前を組み合わせた「１２ｍｏｍｏｋｏ３４」が保存される。このようにして保存された送信元ユーザ名のキーワードは送信したい送信元ユーザの携帯端末装置１０１と、受信したい送信先の携帯端末装置１０１の間だけで知られるものであり、メールアドレスと異なり、不要で迷惑なＭＭＳメールの送信元ユーザには知られることはない。
【００２５】
図３は図１における携帯端末装置１０１の送信元ユーザキーワード設定部１０１Ｂの動作を説明する図である。本図に示すように、送信元ユーザキーワード設定部１０１Ｂでは、ＭＭＳメールの本文の一部で先行して送信される先行部分を入力するテキストには送信元ユーザキーワードを設定する欄が設けられ、この欄には、ＭＭＳメール作成時に、一例として、送信元ユーザ名が「特許一郎」であり、キーワードが送信元ユーザ名である場合には「特許一郎」が設定される。
【００２６】
図４は携帯端末装置ネットワーク１０３を介してサーバ１０２からＭＭＳメールの本文の一部を先行して送信先の携帯端末装置１０１で受信する例を説明するシーケンス図である。本図に示すように、携帯端末装置ネットワーク１０３から携帯端末装置１０１に対して着信通知のためのページングが行われる（Ｐａｇｉｎｇ  Ｔｙｐｅ１）。着信通知はＳＭＳメールにより以下のように行われる。
【００２７】
携帯端末装置１０１と携帯端末装置ネットワーク１０３の間で接続を確立する（ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｑｕｅｓｔ、ＲＲＣ  Ｃｏｎｎｅｃｔｉｏｎ  Ｓｅｔｕｐ、ＲＲＣ  Ｃｏｎｎｅｃｔｉｏｎ  Ｃｏｍｐｌｅｔｅ）。
携帯端末装置１０１から携帯端末装置ネットワーク１０３に対して、ページングの応答を行う（Ｐａｇｉｎｇ  Ｒｅｓｐｏｎｓｅ）。
【００２８】
携帯端末装置１０１と携帯端末装置ネットワーク１０３の間で認証を行う（Ａｕｔｈｅｎｔｉｃａｔｉｏｎ  Ｒｅｑｕｅｓｔ、Ａｕｔｈｅｎｔｉｃａｔｉｏｎ  Ｒｅｓｐｏｎｓｅ）。
携帯端末装置１０１と携帯端末装置ネットワーク１０３の間でセキュリティモードの設定を行う（Ｓｅｃｕｒｉｔｙ  Ｍｏｄｅ  Ｃｏｍｍａｎｄ、Ｓｅｃｕｒｉｔｙ  Ｍｏｄｅ  Ｃｏｍｐｌｅｔｅ）。
【００２９】
携帯端末装置ネットワーク１０３から携帯端末装置１０１に対してメール着信通知が行われる（ＣＰ（Ｃｏｎｔｅｎｔ  Ｐｒｏｖｉｄｅｒ）−ＤＡＴＡ、ＣＰ−ＡＣＫ）。メール着信通知のＣＰ−ＤＡＴＡには送信元を特定する情報（メールアドレス等）、本文の一部が含まれる。
携帯端末装置ネットワーク１０３から携帯端末装置１０１に対してメール着信可否通知が行われる（ＣＰ−ＤＡＴＡ、ＣＰ−ＡＣＫ）。メール着信可否通知のＣＰ−ＤＡＴＡには送信先を特定する情報（メールアドレス等）が含まれる。
【００３０】
携帯端末装置ネットワーク１０３と携帯端末装置１０１の間で接続が開放される（ＲＲＣ  Ｃｏｎｎｅｃｔｉｏｎ  Ｒｅｌｅａｓｅ、ＲＲＣ  Ｃｏｎｎｅｃｔｉｏｎ  Ｒｅｌｅａｓｅ  Ｃｏｍｐｌｅｔｅ）。
図５は携帯端末装置ネットワーク１０３を介してサーバ１０２からＭＭＳメールの本体部分を送信先の携帯端末装置１０１で受信する例を説明するシーケンス図である。本図に示すように、携帯端末装置１０１と携帯端末装置ネットワーク１０３の間で接続を確立する（ＲＲＣ  Ｃｏｎｎｅｃｔｉｏｎ  Ｒｅｑｕｅｓｔ、ＲＲＣ  Ｃｏｎｎｃｔｉｏｎ  Ｓｅｔｕｐ、ＲＲＣ  Ｃｏｎｎｅｃｔｉｏｎ  Ｓｅｔｕｐ  Ｃｏｍｐｌｅｔｅ）。
【００３１】
携帯端末装置１０１から携帯端末装置ネットワーク１０３に対して、ＭＭＳメールの送信を要求する（Ｓｅｒｖｉｃｅ  Ｒｅｑｕｅｓｔ）。
携帯端末装置ネットワーク１０３と携帯端末装置１０１の間で認証、秘匿を行う（Ａｕｔｈｅｎｔｉｃａｔｉｏｎ  ａｎｄ  Ｃｉｐｈｅｒｉｎｇ  Ｒｅｑｕｅｓｔ、Ａｕｔｈｅｎｔｉｃａｔｉｏｎ  ａｎｄ  Ｃｉｐｈｅｒｉｎｇ  Ｒｅｓｐｏｎｓｅ）。
【００３２】
携帯端末装置ネットワーク１０３と携帯端末装置１０１の間でセキュリティモードの設定を行う（Ｓｅｃｕｒｉｔｙ  Ｍｏｄｅ  Ｃｏｍｍａｎｄ、Ｓｅｃｕｒｉｔｙ  Ｍｏｄｅ  Ｃｏｍｐｌｅｔｅ）。
携帯端末装置１０１から携帯端末装置ネットワーク１０３に対してＰＤＰ（Ｐａｃｋｅｔ  Ｄａｔａ  Ｐｒｏｔｏｃｏｌ）コンテキストの活性化を要求する（Ａｃｔｉｖａｔｅ  ＰＤＰ  Ｃｏｎｔｅｘｔ  Ｒｅｑｕｅｓｔ）。
【００３３】
携帯端末装置１０１と携帯端末装置ネットワーク１０３の間で無線ベアラを設定する（Ｒａｄｉｏ  Ｂｅａｒｅｒ  Ｓｅｔｕｐ、Ｒａｄｉｏ  Ｂｅａｒｅｒ  Ｓｅｔｕｐ  Ｃｏｍｐｌｅｔｅ）。
携帯端末装置ネットワーク１０３から携帯端末装置１０１に対してＰＤＰコンテキストの活性化を受け付ける（Ａｃｔｉｖａｔｅ  ＰＤＰ  Ｃｏｎｔｅｘｔ  Ａｃｃｅｐｔ）。ＰＤＰコンテキストには課金情報、携帯端末装置１０１の識別アドレス、ＱｏＳパラメータの情報と共にＭＭＳメールの本体部分が含まれる。
【００３４】
携帯端末装置１０１と携帯端末装置ネットワーク１０３の間でＰＤＰコンテキストの非活性化を行う（Ｄｅａｃｔｉｖａｔｅ  ＰＤＰ  Ｃｏｎｔｅｘｔ  Ｒｅｑｕｅｓｔ、Ｄｅａｃｔｉｖｅ  ＰＤＰ  Ｃｏｎｔｅｘｔ  Ａｃｃｅｐｔ）。
携帯端末装置１０１と携帯端末装置ネットワーク１０３の間で接続の開放を行う（ＲＲＣ  Ｃｏｎｎｅｃｔｉｏｎ  Ｒｅｌｅａｓｅ、ＲＲＣ  Ｃｏｎｎｅｃｔｉｏｎ  Ｒｅｌｅａｓｅ  Ｃｏｍｐｌｅｔｅ）。
【００３５】
図６は図１における携帯端末装置１０１の送信元ユーザキーワード識別部１０１Ｃの動作を説明する図である。本図に示すように、携帯端末装置１０１では、携帯端末装置ネットワーク１０３からＭＭＳメールの本文の一部を先行受信する。
送信元ユーザキーワード識別部１０１Ｃでは、先行受信したＭＭＳメールの本文の一部である先行部分から送信元ユーザのキーワードを抽出し、抽出したキーワードを送信元ユーザキーワード保存部１０１Ａに保存されているキーワードと比較し、一致、不一致の判断を行う。一致する場合には、ＭＭＳメールの本体部分の着信を可能と判断し、不一致の場合には、ＭＭＳメールの本体部分の着信を不可能と判断する。
【００３６】
送信元ユーザキーワード識別部１０１Ｃの着信可否判断を携帯端末装置１０１から携帯端末装置ネットワーク１０３に通知する。
携帯端末装置１０１から携帯端末装置ネットワーク１０３に、送信元ユーザキーワード識別部１０１Ｃによる着信可の判断を通知した場合には、携帯端末装置ネットワーク１０３から携帯端末装置１０１にＭＭＳメールの本体部分の受信を行う。
【００３７】
携帯端末装置ネットワーク１０３では、着信可否通知があると、サーバ１０２のＭＭＳメール保存部１０２Ａに保存されているＭＭＳメールが削除される。
したがって、本発明によれば、メール着信通知の本文に含まれるキーワードを基にメール着信可否を判断するため、ＭＭＳメール全文を受信しなくても、着信通知のみで、メール着信可否を設定することができるので、不要で迷惑なＭＭＳメールの受信が多量の場合には受信したいＭＭＳメールと不要なＭＭＳメールを識別して受信したいＭＭＳメールを受信する労力を抑制することができる。
【００３８】
さらに、メールアドレスではなく、メール着信通知の本文に含まれるキーワードを基に着信許可を判断するため、着信したい相手のメールアドレスを正確に把握していない、又は、着信を許可した相手がメールアドレスを変えた場合においても、キーワードに、例えば、個人を特定する名前、ニックネーム等を登録しておくことにより、確実に受信したいメールを受信できる。
【００３９】
さらに、メール着信通知の本文に含まれるキーワードを基に着信拒否を判断するため、頻繁にメールアドレスを変えてくる不要で迷惑なＭＭＳメール、送信元が携帯端末装置に成りすまして送信してくる不要で迷惑なＭＭＳメールを確実に拒否することができる。これにより、トラフィックの負荷の増大を抑制でき、ユーザの不要な課金を抑制できる。さらにサーバへの処理負担の増大を抑制する。
【産業上の利用可能性】
【００４０】
以上、携帯端末装置について説明を行ったが、これに限定されず、携帯電話機、ＰＨＳ（簡易携帯電話機）、ＰＤＡ（携帯情報端末）にも本発明の利用が可能である。
【図面の簡単な説明】
【００４１】
【図１】本発明に係る携帯端末装置のＭＭＳメール受信を説明する概略ブロック図である。
【図２】図１における携帯端末装置１０１の送信元ユーザキーワード保存部１０１Ａに保存されるキーワード例を説明する図である。
【図３】図１における携帯端末装置１０１の送信元ユーザキーワード設定部１０１Ｂの動作を説明する図である。
【図４】携帯端末装置ネットワーク１０３を介してサーバ１０２からＭＭＳメールの本文の一部を先行して送信先の携帯端末装置１０１で受信する例を説明するシーケンス図である。
【図５】携帯端末装置ネットワーク１０３を介してサーバ１０２からＭＭＳメールの本体部分を送信先の携帯端末装置１０１で受信する例を説明するシーケンス図である。
【図６】図１における携帯端末装置１０１の送信元ユーザキーワード識別部１０１Ｃの動作を説明する図である。
【符号の説明】
【００４２】
１０１…携帯端末装置
１０１Ａ…送信元ユーザキーワード保存部
１０１Ｂ…送信元ユーザキーワード設定部
１０１Ｃ…送信元ユーザキーワード識別部
１０２…サーバ
１０２Ａ…ＭＭＳメール保存部
１０３…携帯端末装置ネットワーク
【図１】
2008129658.tif 000003
【図２】
2008129658.tif 000004
【図３】
2008129658.tif 000005
【図４】
2008129658.tif 000006
【図５】
2008129658.tif 000007
【図６】
2008129658.tif 000008